(57)【特許請求の範囲】
【請求項１】
信号をそれぞれ周波数の異なる電波に変換して送信する複数の放送局のうち、一の放送局が送信する前記電波を受信する際に、前記複数の放送局のうち他の放送局が送信する前記電波による妨害を防止する受信装置において、
前記電波を受信し、受信した前記電波のうち、前記一の放送局が送信する前記電波の周波数を中間周波数に変換することにより、受信した前記電波から中間周波信号を生成する周波数変換手段と、
前記周波数変換手段が生成した前記中間周波信号のうち、前記中間周波数を中心とした周波数帯域幅の前記中間周波信号を通過させる帯域フィルタと、
前記帯域フィルタを通過する前記中間周波信号のうち、前記他の放送局が送信する前記電波に対応した前記中間周波信号の信号レベルを検出する信号レベル検出手段と、
前記信号レベル検出手段が検出した今回の信号レベルを前回の信号レベルと比較し、今回の信号レベルが小さかった回数ｎを計数する比較／カウント手段と、
前記比較／カウント手段により計数された回数ｎが所定の整数Ｎ（Ｎは２以上の整数）に到達すると、前記帯域フィルタの前記周波数帯域幅を広げる帯域幅変更手段と、
を備えたことを特徴とする受信装置。
【請求項２】
前記信号レベルを、前記信号レベルの値に応じて複数の領域に区分して、区分した前記領域に応じて前記帯域幅変更手段で変更する前記周波数帯域幅のうち何れかの周波数帯域幅と対応させ、
前記帯域幅変更手段は、前記比較／カウント手段において今回の信号レベルが大きいとの比較結果が得られると、前記帯域フィルタの前記周波数帯域幅を、その信号レベルが対応させられる前記周波数帯域幅に変更し、前記比較／カウント手段により計数された回数ｎが所定の整数Ｎ（Ｎは２以上の整数）に到達すると、前記帯域フィルタの前記周波数帯域幅を、一段階広い周波数帯域幅に変更することを特徴とする請求項１に記載の受信装置。
【発明の詳細な説明】
【０００１】
【発明の属する技術分野】
本発明は、特定の放送局が送信する電波を受信する際に、他の放送局が送信する電波による妨害を防止する受信装置に関し、より詳しくは、中間周波信号を通過させる帯域フィルタが通過させる信号の周波数帯域幅を変更することによって、他の放送局が送信する電波による妨害を防止する受信装置に関するものである。
【０００２】
【従来の技術】
従来、特定の放送局が送信する電波を受信する際に、中間周波信号を通過させる帯域フィルタが通過させる信号の周波数帯域幅を変更することによって、他の放送局が送信する電波による妨害を防止する受信装置として、図６に示すようなＦＭ受信機が知られている。
【０００３】
以下、図６及び図７を用いて、従来のＦＭ受信機２００の作用について説明する。
【０００４】
ＦＭ受信機２００は、受信アンテナ２０１によって電波を受信し、受信した電波から、同調回路２０２によって受信を希望する放送局（以下、希望放送局という。）が送信する電波を安定的に選択及び増幅する。同調回路２０２によって安定的に選択及び増幅された電波は、ミキサ回路２０３によって、希望放送局が送信する電波の周波数より１０．７ＭＨｚ高い周波数の信号と混合されることにより、周波数を１０．７ＭＨｚの中間周波数に周波数変換され、中間周波信号に変換される。ここで、希望放送局が送信する電波の周波数より１０．７ＭＨｚ高い周波数の信号は、ＰＬＬ回路２０７内の図示していない局部発振回路によって発振される。また、ＰＬＬ回路２０７は、マイクロコントローラ２０８によって制御される。
【０００５】
ミキサ回路２０３によって変換された中間周波信号は、ＩＦ（Intermediate Frequency）フィルタ回路２０４によって、希望放送局以外の放送局が送信する電波による電波妨害（以下、隣接妨害という。）が低減されるとともに、増幅された後、リミッタアンプ２０５によって振幅制限をかけられ、周波数成分のみとされる。中間周波信号がリミッタアンプ２０５によって周波数成分のみとされると、検波回路２０６は、中間周波信号から音声信号を生成し、生成した音声信号を図示していない復調回路及びオーディオに伝達する。
【０００６】
なお、リミッタアンプ２０５によって周波数成分のみとされた中間周波信号は、受けている隣接妨害の強弱を隣接妨害検出回路２０９によって検出され、検出された隣接妨害の強弱は、隣接妨害検出回路２０９によってマイクロコントローラ２０８に出力される。隣接妨害の強弱を出力されたマイクロコントローラ２０８は、隣接妨害の強弱に応じて、リミッタアンプ２０５によって周波数成分のみとされた中間周波信号が隣接妨害を受けているか否かを判断し、中間周波信号が隣接妨害を受けていると判断した場合、即座にＩＦフィルタ回路２０４にＩＦフィルタの帯域幅を狭くさせて隣接妨害を低減する。
【０００７】
より詳細に説明すると、図７に示すように、マイクロコントローラ２０８は、ＦＭ放送を受信する際、一定時間の間、隣接妨害検出回路２０９に隣接妨害の強弱を検出させ（ステップＳ２５１）、一定時間の間に隣接妨害が有ったか否かを判断する（ステップＳ２５２）。
【０００８】
一定時間の間に隣接妨害が有ったと判断すると、マイクロコントローラ２０８は、ＩＦフィルタ回路２０４にＩＦフィルタの帯域幅を狭くさせて、隣接妨害を低減し（ステップＳ２５５）、再び、一定時間の間、隣接妨害検出回路２０９に隣接妨害の強弱を検出させる（ステップＳ２５１）。また、一定時間の間に隣接妨害が無かったと判断すると、マイクロコントローラ２０８は、ＩＦフィルタ回路２０４のＩＦフィルタの帯域幅が最大に広い状態であるか否かを判断する（ステップＳ２５３）。
【０００９】
ＩＦフィルタ回路２０４のＩＦフィルタの帯域幅が最大に広い状態であると判断すると、マイクロコントローラ２０８は、再び、一定時間の間、隣接妨害検出回路２０９に隣接妨害の強弱を検出させる（ステップＳ２５１）。また、ＩＦフィルタ回路２０４のＩＦフィルタの帯域幅が最大に広い状態ではないと判断すると、マイクロコントローラ２０８は、ＩＦフィルタ回路２０４にＩＦフィルタの帯域幅を一段階広くさせて（ステップＳ２５４）、再び、一定時間の間、隣接妨害検出回路２０９に隣接妨害の強弱を検出させる（ステップＳ２５１）。
【００１０】
以上のようにして、ＦＭ受信機２００は、特定の放送局、即ち、希望放送局が送信する電波を受信する際に、他の放送局、即ち、希望放送局以外の放送局が送信する電波による妨害を防止していた。
【００１１】
【発明が解決しようとする課題】
しかしながら、上記従来の受信装置においては、電界強度の大きな変動により隣接妨害の強弱の判断が短時間の間に頻繁に逆転したり変動したりした場合、ＩＦフィルタの帯域幅が安定しないために聴感上の違和感を生じたり、ＩＦフィルタの帯域幅を広げた直後に隣接妨害を受けて中間周波信号にノイズが発生したりするという問題があった。
【００１２】
そこで、本発明は、ＩＦフィルタの帯域幅が安定しており、中間周波信号にノイズが発生することを防止する受信装置を提供することを目的とする。
【００１３】
【課題を解決するための手段】
本発明の受信装置は、信号をそれぞれ周波数の異なる電波に変換して送信する複数の放送局のうち、一の放送局が送信する電波を受信する際に、複数の放送局のうち他の放送局が送信する電波による妨害を防止する受信装置において、電波を受信し、受信した電波のうち、一の放送局が送信する電波の周波数を中間周波数に変換することにより、受信した電波から中間周波信号を生成する周波数変換手段と、周波数変換手段が生成した中間周波信号のうち、中間周波数を中心とした周波数帯域幅の中間周波信号を通過させる帯域フィルタと、帯域フィルタを通過する中間周波信号のうち、他の放送局が送信する電波に対応した中間周波信号の信号レベルを検出する信号レベル検出手段と、信号レベル検出手段が検出した今回の信号レベルを前回の信号レベルと比較し、今回の信号レベルが小さかった回数ｎを計数する比較／カウント手段と、比較／カウント手段により計数された回数ｎが所定の整数Ｎ（Ｎは２以上の整数）に到達すると、帯域フィルタの周波数帯域幅を広げる帯域幅変更手段とを備えている。
【００１６】
【発明の実施の形態】
以下、本発明の好ましい実施形態を図面に基づいて説明する。
〔第１実施形態〕
【００１７】
図１〜図３を用いて本発明の第１実施形態に係る受信装置について説明する。
【００１８】
まず、本実施形態に係る受信装置の構成について、図１を用いて説明する。
【００１９】
図１において、信号をそれぞれ周波数の異なる電波に変換して送信する複数の放送局のうち、一の放送局、即ち、希望放送局が送信する電波を受信する際に、複数の放送局のうち他の放送局、即ち、希望放送局以外の放送局が送信する電波による妨害を防止するＦＭ受信機１００は、放送局から送信される放送電波を受信する受信アンテナ１０１と、希望放送局の電波を安定して選択及び増幅する同調回路１０２と、同調回路１０２によって増幅された電波の周波数を中間周波数に変換することにより、同調回路１０２によって増幅された電波から中間周波信号を生成するミキサ回路１０３と、を備えている。
【００２０】
ここで、受信アンテナ１０１、同調回路１０２、及び、ミキサ回路１０３は、電波を受信し、受信した電波のうち、希望放送局が送信する電波の周波数を中間周波数に変換することにより、受信した電波から中間周波信号を生成する周波数変換手段を構成している。
【００２１】
また、ＦＭ受信機１００は、周波数変換手段が生成した中間周波信号のうち、中間周波数を中心とした周波数帯域幅、即ち、ＩＦフィルタ帯域幅の中間周波信号を通過させる帯域フィルタとしてのＩＦフィルタを有するＩＦフィルタ回路１０４と、ＩＦフィルタを通過する中間周波信号に振幅制限をかけ、中間周波信号を周波数成分のみとするリミッタアンプ１０５と、中間周波信号から音声信号を生成し、生成した音声信号を図示していない復調回路及びオーディオに伝達する検波回路１０６と、を備えている。
【００２２】
また、ＦＭ受信機１００は、図示していない局部発振回路を内部に有し、希望放送局が送信する電波の周波数より１０．７ＭＨｚ高い周波数の信号を局部発振回路によって発振して、ミキサ回路１０３に出力するＰＬＬ回路１０７と、ＰＬＬ回路１０７を制御するマイクロコントローラ１０８と、ＩＦフィルタを通過する中間周波信号のうち、希望放送局以外の放送局が送信する電波に対応した中間周波信号の信号レベルを検出する信号レベル検出手段としての隣接妨害検出回路１０９と、を備えている。ここで、マイクロコントローラ１０８は、隣接妨害検出回路１０９が検出した信号レベルに応じて、ＩＦフィルタ帯域幅を５段階に変更する帯域幅変更手段を構成している。
【００２３】
なお、マイクロコントローラ１０８は、信号レベルを、信号レベルの値に応じて複数の領域に区分して、区分した領域に応じて５段階のＩＦフィルタ帯域幅のうち何れかのＩＦフィルタ帯域幅と対応させるようになっており、隣接妨害検出回路１０９によって検出された信号レベルが対応させられるＩＦフィルタ帯域幅が、実際のＩＦフィルタ帯域幅よりも狭い場合、実際のＩＦフィルタ帯域幅を、隣接妨害検出回路１０９によって検出された信号レベルが対応させられるＩＦフィルタ帯域幅に変更するようになっている。
【００２４】
また、マイクロコントローラ１０８は、隣接妨害検出回路１０９によって検出された信号レベルが対応させられるＩＦフィルタ帯域幅が、所定時間より短い間、実際のＩＦフィルタ帯域幅よりも狭くない場合、実際のＩＦフィルタ帯域幅を変更することを防止するようになっており、隣接妨害検出回路１０９によって検出された信号レベルが対応させられるＩＦフィルタ帯域幅が、所定時間の間、実際のＩＦフィルタ帯域幅よりも狭くない場合、実際のＩＦフィルタ帯域幅を、一段階広いＩＦフィルタ帯域幅に変更するようになっている。
【００２５】
次に、本実施形態に係る受信装置の作用について、図１〜図３を用いて説明する。
【００２６】
図２に示すように、マイクロコントローラ１０８は、ＦＭ放送を受信する際、一定時間の間、隣接妨害検出回路１０９に隣接妨害の強弱を検出させ（ステップＳ１１１）、一定時間の間に隣接妨害を受けたか否かを判断する（ステップＳ１１２）。ここで、マイクロコントローラ１０８は、隣接妨害検出回路１０９が一定時間の間に検出した、希望放送局以外の放送局が送信する電波に対応した中間周波信号の信号レベルの平均値（以下、隣接検出電圧という。）によって、隣接妨害を受けたか否かを判断する。また、マイクロコントローラ１０８は、図３に示したように、隣接検出電圧がＶ１、即ち、Ｖａ以上Ｖｂ未満の範囲である場合、隣接妨害を受けなかったと判断し、隣接検出電圧がＶ２、Ｖ３、Ｖ４、及び、Ｖ５の何れかの範囲である場合、隣接妨害を受けたと判断する。
【００２７】
ステップＳ１１２において一定時間の間に隣接妨害を受けたと判断すると、マイクロコントローラ１０８は、実際のＩＦフィルタ帯域幅、即ち、現在のＩＦフィルタ帯域幅に対応した隣接検出電圧（以下、前回検出値という。）Ｖ´と、直前のステップＳ１１１において検出した隣接検出電圧（以下、今回検出値という。）Ｖと、を比較し（ステップＳ１１３）、今回検出値Ｖが前回検出値Ｖ´以下か否かを判断する（ステップＳ１１４）。
【００２８】
ステップＳ１１４において今回検出値Ｖが前回検出値Ｖ´以下ではない、即ち、今回検出値Ｖが前回検出値Ｖ´よりも大きいと判断すると、マイクロコントローラ１０８は、ＩＦフィルタ帯域幅を今回検出値Ｖに応じて狭くし（ステップＳ１１５）、カウンタ変数ｎの値を１にし（ステップＳ１２０）、再び一定時間の間、隣接妨害検出回路１０９に隣接妨害の強弱を検出させる（ステップＳ１１１）。
【００２９】
ステップＳ１１２において一定時間の間に隣接妨害を受けていないと判断した場合、又は、ステップＳ１１４において今回検出値Ｖが前回検出値Ｖ´以下であると判断した場合、マイクロコントローラ１０８は、ＩＦフィルタ帯域幅が最大に広いか否かを判断する（ステップＳ１１６）。ステップＳ１１６においてＩＦフィルタ帯域幅が最大に広いと判断した場合、マイクロコントローラ１０８は、カウンタ変数ｎの値を１にし（ステップＳ１２０）、再び一定時間の間、隣接妨害検出回路１０９に隣接妨害の強弱を検出させる（ステップＳ１１１）。また、ステップＳ１１６においてＩＦフィルタ帯域幅が最大に広くはないと判断した場合、マイクロコントローラ１０８は、カウンタ変数ｎの値が所定の整数Ｎであるか否かを判断する（ステップＳ１１７）。
【００３０】
ステップＳ１１７においてカウンタ変数ｎの値が所定の整数Ｎではないと判断した場合、カウンタ変数ｎの値に１を加え（ステップＳ１１８）、再び一定時間の間、隣接妨害検出回路１０９に隣接妨害の強弱を検出させる（ステップＳ１１１）。
【００３１】
ステップＳ１１７においてカウンタ変数ｎの値が所定の整数Ｎであると判断した場合、ＩＦフィルタ帯域幅を一段階広くし（ステップＳ１１９）、マイクロコントローラ１０８は、カウンタ変数ｎの値を１にした後（ステップＳ１２０）、再び一定時間の間、隣接妨害検出回路１０９に隣接妨害の強弱を検出させる（ステップＳ１１１）。
【００３２】
以上のようにして、ＦＭ受信機１００は、特定の放送局、即ち、希望放送局が送信する電波を受信する際に、他の放送局、即ち、希望放送局以外の放送局が送信する電波による妨害を防止する。
【００３３】
なお、本実施形態においては、ＩＦフィルタ帯域幅が取ることができる状態は５段階であったが、本発明によれば、ＩＦフィルタ帯域幅が取ることができる状態は３段階以上であれば、何段階であってもよい。また、ＩＦフィルタ帯域幅を広狭の２段階としてもよい。
〔第２実施形態〕
【００３４】
図４及び図５を用いて本発明の第２実施形態に係る受信装置について説明する。
【００３５】
図４に示すように、本実施形態に係る受信装置の構成は、マイクロコントローラ１３１を除いて、図１に示す第１実施形態に係る受信装置の構成とほぼ同様である。
【００３６】
ＦＭ受信機１３０において、マイクロコントローラ１３１は、信号レベルを、信号レベルの値に応じて複数の領域に区分して、区分した領域に応じて５段階のＩＦフィルタ帯域幅のうち何れかのＩＦフィルタ帯域幅と対応させるようになっており、隣接妨害検出回路１０９によって検出された信号レベルが対応させられるＩＦフィルタ帯域幅が、実際のＩＦフィルタ帯域幅よりも狭い場合、実際のＩＦフィルタ帯域幅を、隣接妨害検出回路１０９によって検出された信号レベルが対応させられるＩＦフィルタ帯域幅に変更するようになっている。
【００３７】
また、ＦＭ受信機１３０において、マイクロコントローラ１３１は、隣接妨害検出回路１０９によって検出された信号レベルが対応させられるＩＦフィルタ帯域幅が、実際のＩＦフィルタ帯域幅と等しい場合、及び、隣接妨害検出回路１０９によって検出された信号レベルが対応させられるＩＦフィルタ帯域幅が、所定時間より短い間、実際のＩＦフィルタ帯域幅よりも広い場合、実際のＩＦフィルタ帯域幅を変更することを防止するようになっており、隣接妨害検出回路１０９によって検出された信号レベルが対応させられるＩＦフィルタ帯域幅が、所定時間の間、実際のＩＦフィルタ帯域幅よりも広い場合、実際のＩＦフィルタ帯域幅を、一段階広いＩＦフィルタ帯域幅に変更するようになっている。
【００３８】
以下、本実施形態に係る受信装置の作用について図４及び図５を用いて説明する。
【００３９】
図５に示すように、マイクロコントローラ１３１は、ＦＭ放送を受信する際、一定時間の間、隣接妨害検出回路１０９に隣接妨害の強弱を検出させ（ステップＳ１５１）、一定時間の間に隣接妨害を受けたか否かを判断する（ステップＳ１５２）。
【００４０】
ステップＳ１５２において一定時間の間に隣接妨害を受けたと判断すると、マイクロコントローラ１３１は、前回検出値Ｖ´と、今回検出値Ｖと、を比較し（ステップＳ１５３）、今回検出値Ｖが前回検出値Ｖ´未満か否かを判断する（ステップＳ１５４）。
【００４１】
ステップＳ１５４において今回検出値Ｖが前回検出値Ｖ´未満ではないと判断すると、マイクロコントローラ１３１は、今回検出値Ｖが前回検出値Ｖ´と等しいか否かを判断する（ステップＳ１５５）。ステップＳ１５５において今回検出値Ｖが前回検出値Ｖ´と等しいと判断すると、マイクロコントローラ１３１は、カウンタ変数ｎの値を１にし（ステップＳ１６１）、再び一定時間の間、隣接妨害検出回路１０９に隣接妨害の強弱を検出させる（ステップＳ１５１）。ステップＳ１５５において今回検出値Ｖが前回検出値Ｖ´と等しくない、即ち、今回検出値Ｖが前回検出値Ｖ´より大きいと判断すると、マイクロコントローラ１３１は、ＩＦフィルタ帯域幅を今回検出値Ｖに応じて狭くし（ステップＳ１５６）、カウンタ変数ｎの値を１にし（ステップＳ１６１）、再び一定時間の間、隣接妨害検出回路１０９に隣接妨害の強弱を検出させる（ステップＳ１５１）。
【００４２】
ステップＳ１５２において一定時間の間に隣接妨害を受けていないと判断した場合、又は、ステップＳ１５４において今回検出値Ｖが前回検出値Ｖ´未満であると判断した場合、マイクロコントローラ１３１は、ＩＦフィルタ帯域幅が最大に広いか否かを判断する（ステップＳ１５７）。ステップＳ１５７においてＩＦフィルタ帯域幅が最大に広いと判断した場合、マイクロコントローラ１３１は、カウンタ変数ｎの値を１にし（ステップＳ１６１）、再び一定時間の間、隣接妨害検出回路１０９に隣接妨害の強弱を検出させる（ステップＳ１５１）。また、ステップＳ１５７においてＩＦフィルタ帯域幅が最大に広くはないと判断した場合、マイクロコントローラ１３１は、カウンタ変数ｎの値が所定の整数Ｎであるか否かを判断する（ステップＳ１５８）。
【００４３】
ステップＳ１５８においてカウンタ変数ｎの値が所定の整数Ｎではないと判断した場合、カウンタ変数ｎの値に１を加え（ステップＳ１５９）、再び一定時間の間、隣接妨害検出回路１０９に隣接妨害の強弱を検出させる（ステップＳ１５１）。
【００４４】
ステップＳ１５８においてカウンタ変数ｎの値が所定の整数Ｎであると判断した場合、ＩＦフィルタ帯域幅を一段階広くし（ステップＳ１６０）、マイクロコントローラ１３１は、カウンタ変数ｎの値を１にした後（ステップＳ１６１）、再び一定時間の間、隣接妨害検出回路１０９に隣接妨害の強弱を検出させる（ステップＳ１５１）。
【００４５】
以上のようにして、ＦＭ受信機１３０は、特定の放送局、即ち、希望放送局が送信する電波を受信する際に、他の放送局、即ち、希望放送局以外の放送局が送信する電波による妨害を防止する。
【００４６】
なお、本実施形態においては、ＩＦフィルタ帯域幅が取ることができる状態は５段階であったが、本発明によれば、ＩＦフィルタ帯域幅が取ることができる状態は３段階以上であれば、何段階であってもよい。また、ＩＦフィルタ帯域幅を広狭の２段階としてもよい。
【００４７】
【発明の効果】
以上説明したように、本発明によれば、本発明の受信装置は、隣接妨害の有無だけではなく、信号レベル検出手段が検出した信号レベルに応じて変更することができるので、電界が大きく変動して且つ隣接妨害を受けたり受けなかったりする不安定な状態での頻繁なＩＦフィルタ帯域幅変更による違和感やノイズ発生を避けることができる。
【図面の簡単な説明】
【図１】本発明の第１実施形態に係る受信装置のブロック図
【図２】図１に示した受信装置の作用を説明するフローチャート
【図３】図１に示した受信装置の隣接検出電圧とＩＦフィルタ帯域幅との対応関係を表す図
【図４】本発明の第２実施形態に係る受信装置のブロック図
【図５】図４に示した受信装置の作用を説明するフローチャート
【図６】従来の受信装置のブロック図
【図７】図６に示した受信装置の作用を説明するフローチャート
【符号の説明】
１００、１３０      ＦＭ受信機（受信装置）
１０１      受信アンテナ（周波数変換手段）
１０２      同調回路（周波数変換手段）
１０３      ミキサ回路（周波数変換手段）
１０４      フィルタ回路（帯域フィルタ）
１０８、１３１      マイクロコントローラ（帯域幅変更手段）
１０９      隣接妨害検出回路（信号レベル検出手段）
【図１】
0004166427.tif 000002
【図２】
0004166427.tif 000003
【図３】
0004166427.tif 000004
【図４】
0004166427.tif 000005
【図５】
0004166427.tif 000006
【図６】
0004166427.tif 000007
【図７】
0004166427.tif 000008